【事件の表示】
　特願２０１１−５２４４８０「患者装着式センサに患者識別ビーコンを供給するためのシステム」拒絶査定不服審判事件〔平成２２年　３月　４日国際公開、ＷＯ２０１０／０２３５７７、平成２４年　１月１２日国内公表、特表２０１２−５００６９８〕について、次のとおり審決する。
【結　論】
　本件審判の請求は、成り立たない。
【理　由】
第１　手続の経緯 
　本願は、平成２１年８月１１日を国際出願日（パリ条約による優先権主張　２００８年８月２８日　米国）とする外国語特許出願であって、平成２６年１月２７日付けで拒絶の理由が通知され、同年７月２８日に意見書及び手続補正書の提出がなされ、さらに、同年１２月１８日付けで最後の拒絶理由が通知され、平成２７年７月３日に意見書及び手続補正書が提出されたが、同年８月３１日付けで、平成２６年１月２７日付けの拒絶理由通知により通知された理由３（以下、「原査定の理由」という。）による拒絶査定がなされ、その謄本は平成２７年９月３日に請求人に送達された。
　これに対し、同年１２月２４日に拒絶査定不服審判が請求されるとともに、それと同時に手続補正書が提出されたものである。
第２　平成２７年１２月２４日にされた手続補正についての補正の却下の決定
　［補正の却下の決定の結論］ 
　平成２７年１２月２４日にされた手続補正（以下、「本件補正」という。）を却下する。  　 
　［補正の却下の決定の理由］  
　１　本件補正の内容について
　（１）本件補正は、特許請求の範囲を全文にわたって補正するものであり、その補正の一部には、本件補正前の請求項１の記載を本件補正後の請求項１のとおりに補正する補正事項（以下、「本件補正事項」という。）を含むものである。
　ア　本件補正前の特許請求の範囲の請求項１の記載
「【請求項１】
　ビーコンシステムであって、
  患者の四肢に取り付けられる柔軟な材料のストラップと、
  前記ストラップに取り付けられる印刷可能層と、
  前記ストラップに取り付けられる柔軟な電源と、
  前記ストラップ及び前記電源に取り付けられる柔軟な回路であって、
    少なくともビーコン識別情報を無線で送信する無線送信ユニットと、
    少なくとも前記ビーコン識別情報と暗号化キーを記憶するメモリと、
    前記暗号化キーで前記ビーコン識別情報を暗号化し、前記暗号化されたビーコン識別情報を前記メモリから、前記無線送信ユニットが身体結合通信を介して通信するように制御する、プロセッサと
を含む、柔軟な回路と、
  前記患者と接触しているとき若しくは近接しているとき、身体結合通信を介して前記無線送信ユニットから前記暗号化されたビーコン識別情報を受信する送受信機と
を有するビーコンシステム。」
　イ　本件補正後の特許請求の範囲の請求項１の記載
　「【請求項１】
　ビーコンシステムであって、
　患者の四肢に取り付けられる柔軟な材料のストラップと、
　前記ストラップに取り付けられる印刷可能層と、
　前記ストラップに取り付けられる柔軟な電源と、
　前記ストラップ及び前記電源に取り付けられる柔軟な回路であって、
　　少なくともビーコン識別情報を無線で送信する無線送信ユニットと、
　　少なくとも前記ビーコン識別情報と暗号化キーを記憶するメモリと、
　　前記暗号化キーで前記ビーコン識別情報を暗号化し、前記暗号化されたビーコン識別情報を前記メモリから、前記無線送信ユニットが身体結合通信を介して通信するように制御する、プロセッサとを含む、柔軟な回路と、
　前記患者と接触しているとき若しくは近接しているとき、身体結合通信を介して前記無線送信ユニットから前記暗号化されたビーコン識別情報を受信する送受信機とを有
し、
　
前記患者からの前記ストラップの取り外しが、前記ストラップがもはや関連付けられていない可能性を警告するため、前記ストラップが取り外されたことを前記プロセッサに信号で伝えさせる、
　（２）本件補正の目的について
　本件補正事項は、本件補正前の請求項１における発明特定事項として、「前記患者からの前記ストラップの取り外しが、前記ストラップがもはや関連付けられていない可能性を警告するため、前記ストラップが取り外されたことを前記プロセッサに信号で伝えさせる」を追加するものであるところ、当該発明特定事項により規定される機能は、本件補正前の請求項１において記載されているいずれかの発明特定事項を限定するものに該当しないから、本件補正事項の目的は、特許法第１７条の２第５項第２号に規定する特許請求の範囲の減縮に該当するものとはいえない。
　また、当該補正事項が誤記の訂正や明りょうでない記載の釈明を目的とするものに該当しないことは明らかである。
　してみると。本件補正事項による補正は、特許法第１７条の２第５項の規定に違反してされたものというほかないから、同法第１５９条第１項において読み替えて適用される同法第５３条の規定により却下すべきものである。
　なお、請求人は、請求項１についての補正は、願書に最初に添付した明細書の段落【００１６】の記載に基づくものであり、構成を明確にする補正であることは述べているものの、当該補正が、特許法第１７条の２第５項各号に規定するいずれを目的とする補正であるかについては何らの説明もされていない。　
　
　２　独立特許要件についての検討 
　本件補正事項により追加された点は、プロセッサに新たな機能を追加するものである点で特許法第１７条の２第５項第２号に規定する特許請求の範囲の減縮（いわゆる限定的減縮）を目的とするものに該当するものではないものの、一応プロセッサの機能を限定するものである点で、プロセッサを限定するものであることから、念のため、本件補正事項の目的がいわゆる限定的減縮に該当するものであると仮定し、本件補正後の請求項１に係る発明（以下、「本件補正発明」という。）が特許出願の際に独立して特許を受けることができるものであるか（同条第６項において準用する同法第１２６条第７項の規定に適合するか否か）について以下に検討する。
　（１）本件補正発明
　本件補正発明は、上記１（１）イにおいて摘示したとおりの発明特定事項により特定されるものである。
　（２）引用例
　ア　原査定の拒絶の理由の引用文献１として引用され、本願の出願前に頒布された刊行物である特表２００５−５１９５５７号公報（以下、「引用文献１」という。）には、つぎの事項が記載されている。（下線は、当審により付加したもの。）
　（ア）「【０００３】
  バンドは、それらを物理的に確実に装着者に取り付けることができるので（クレジット・カード、チケット、等のような）データを包含しているＩＤカードの他の形に対して有利である。その結果、識別バンドの現行使用者は、病院、診療所及びその他の場所の患者識別；遊園地におけるアクセス；一時的保全措置、ファシリティ・アクセス制御、及び発券及びエンタイトルメント機能を含む。
【０００４】
  
識別バンドに対する一つの重要な使用は、病院、診療所及びその他の場所における患者識別及び位置である。
【０００５】
  識別バンドは、例えば、バンド上の、印刷された情報を視覚的に読んでいるか、またはバーコード情報をスキャンしている人によって、または識別バンドによって伝送された識別情報を電子的に読み取ることによって、簡単に情報を供給する。それゆえに、バーコード、ＲＦＩＤ装置、等は、バンド及び関連する人または対象物に関連付けられた情報の情報記憶及びデータ転送を向上するために用いられる。しかしながら、識別バンドが別の装置に情報を送信するかまたは別の装置から情報を受信する場合、情報の正確度は、伝送不良によって損なわれうる。
【０００６】
  
情報は、トランスポンダー（応答器）またはＲＦＩＤ“タグ”に電子的に記憶されかつその情報は、タグ“リーダー（読取り装置）”に伝達される
　（イ）「【００１５】
  図１は、その一部分として、マイクロストリップ・アンテナ３０を包含している識別器具１０の例示的実施形態の図である。マイクロストリップ・アンテナ３０は、好適にはパッチ・アンテナである。識別器具１０は、ＲＦＩＤ回路のような、通信回路３２を有している構造体２０を有する。通信回路３２は、あらゆる種類のシステム、ネットワーク、または装置と通信するように構成されうるし、かつ、ブルーツゥース(Bluetooth)またはＩＥＥＥ８０２．１１を含んでいる、あらゆる通信プロトコルを用いうる。ブルーツゥースに関する更なる情報については、インターネット・ウェブサイトhttp://www.bluetooth.comを参照されたい。本実施形態ではバンドとして、
識別器具１０は、
構造体２０を含む
識別器具１０は、リストバンドでありかつ構造体２０は、細長い、フレキシブル・リストバンド素材であ
【００１６】
  また、
識別器具１０は、マイクロストリップ・アンテナ３０も含む
マイクロストリップ・アンテナ３０は
識別器具１０の電子回路に集積されうる
マイクロストリップ・アンテナ３０は、それが曲がるようにフレキシブル・プリント回路基板で構築されうる
みは、様々な厚みでありうる。絶縁体層２６は、フォーム（発泡）、プラスチック、空気、または波形プラスチックを含んでいる、あらゆる絶縁体材料を備えうる。マイクロストリップ・アンテナ３０の構成要素は、構造体２０に接続されるかまたは組み込まれるのが好ましい。
【００１７】
  マイクロストリップ・アンテナ３０は、多くの方法で製造することができるが、両面に銅クラッドを有しているプリント回路基板材から製造されるのが好ましい。特には、マイクロストリップ・アンテナ３０は、プレーナ絶縁体層を備えているプリント回路基板上に形成されるのが好ましい。絶縁体層２６は、グラウンド・プレーン２４を形成する層の一つの面全体上に銅クラッドを有し、かつ導電性パッチ層２２を形成すべくエッチされる他方の面に銅クラッドを有している。絶縁体層２６の一つの面の全体上に銅クラッドを有することが好ましいが、面の全体ではなく、かなりの部分を覆う銅クラッドを有することも可能である。勿論、マイクロストリップ・アンテナ３０の構成要素の大きさ、寸法及び形状は、変化しうる。例えば、導電性パッチ層２２は、円形、長円形、または半円形でありうる。
【００１８】
  マイクロストリップ・アンテナ３０は、着用者に対して使いにくくないように容易に識別器具１０に取り付けられうるかまたは埋め込まれうるように比較的薄く作ることができる。マイクロストリップ・アンテナ３０は、高い誘電率を有する薄い絶縁体層２６を用いることによって小さくしうる。絶縁体層２６の厚みは、だいたい放射信号の自由空間波長の百分の一程度であるのが好ましく、かつパッチそれ自体は、長さＬ及び幅Ｗで、ＷがＬよりも小さいのが好ましい。」
　（ウ）「【００２３】
  
ＲＦＩＤ回路のような、電子通信回路３２は、
回路３２は、誘電体層２６上に直接実施され、銅クラディングからエッチ・アウトされたプリント回路と該回路に結合された離散部分とを備え、該回路は、ワイヤ、ケーブル、またはプリント回路伝送線路によって導電性パッチ層２２及び導電性グラウンド層２４に接続される
【００２４】
  
通信回路３２は、アンテナ回路と、信号発生器回路と、プログラマバル・エンコーダ回路と、及び相互接続回路とを備えるのが好ましい
構造体２０または絶縁体層２５上に直接成長された導電性、絶縁性及び/または半導体材料で全体的に構成されている回路を用いうる。
識別器具１０にプリントされうる、半導体、導体及び絶縁体から部分的にまたは全体的に作られた電子構成要素を有し
通信回路３２は、実施形態のいずれに対してもそうであるように、様々なその他の場所に配置することができる。誘電体層２６及びプリント構成要素は、フレキシブルでありうる
【００２５】
  識別器具１０は、振動装置、スピーカ、または視覚表示装置のような感覚、通信及び表示機能に対する構成要素を有しうる。改良型識別器具１０は、それによって有される電子回路に一次または補助電源を供給するためのバッテリを包含しうる。
バッテリは、フレキシブル構造体２０上に形成されたフレキシブル・バッテリでありうる
バッテリは、ＲＦＩＤ回路、電子回路、光回路、データ記憶装置を更に含みうる、通信回路３２のような電力を必要とするあらゆる装置に電力を供給しうる。
バッテリは、識別器具基板に刷り込まれるかまたはその上に構築されるフレキシブル・ポリマー・バッテリでありうる
  （エ）「【００３３】
  図８は、この例では識別バンドである、識別器具の固定部分に組み込まれたマイクロストリップ・アンテナの例示的実施形態の図である。
識別器具１０は、クロージャまたは固定機構６２の部分６０を受け入れるために管状である細長い構造体２０を有する
固定機構６２の両端及び管状構造体２０の対応する内面は、コンタクトが接続されるときに回路を形成すべく導電性コンタクトを有しうる。このようにして、識別器具１０は、固定機構６２が固定されたか、取り外されたか、または改竄されたいかどうかを決定することができる。
　（オ）「【００３４】
  実施形態のいずれかにおいて、識別器具１０は、例えば、以下に説明する特徴のいずれかのような、任意の構造体及び特徴を含みうる。例えば、
通信回路は、
応答器（トランスポンダー）のように受動的に及び/または通信を起動することによって能動的に通信することができる。
【００３５】
  同様に、
通信回路は、マイクロプロセッサ、
として用いるためにプログラムされたプログラマブル・ロジック装置、またはその他の制御ロジックでありうる、制御ロジックまたは処理装置を含みうる
通信回路は、
メモリのような、任意のデータ記憶装置を更に含みうる
　（カ）「【００４４】
  識別器具１０は、それが
関連付けられた着用者
に関する情報を提供し
手書きまたは印刷された視覚情報であり
識別器具１０は、情報を包含すべくラベルまたは印刷可能面を有し
　（キ）図１
　（ク）図８
　イ　引用文献１に記載された発明
　上記アの（ア）ないし（カ）の記載並びに（キ）及び（ク）の図面によれば、引用文献１には、次の発明が記載されているものと認められる。
「細長いフレキシブル・リストバンド素材である構造体２０を含むリストバンドである識別器具１０であって、
　曲がるようにフレキシブル・プリント回路基板で構築されうる識別器具１０の電子回路に集積されうるマイクロストリップ・アンテナ３０と
　マイクロプロセッサとメモリを有するＲＦＩＤ回路のような電子通信回路３２であって、アンテナ回路と、信号発生器回路と、プログラマバル・エンコーダ回路と、相互接続回路とを備え、構造体２０または絶縁体層２５上に直接成長された導電性、絶縁性及び/または半導体材料で全体的に構成されている回路を用いうるとともに識別器具１０にプリントされうる半導体、導体及び絶縁体から部分的にまたは全体的に作られた電子構成要素を有するものであり、誘電体層２６及びプリント構成要素は、フレキシブルである電子通信回路と、
関連づけられた着用者に関する手書きまたは印刷された視覚情報を包含すべく有するラベルまたは印刷可能面と、
構造体２０上に形成された、ＲＦＩＤ回路、電子回路、データ記憶装置を更に含みうる、通信回路３２のような電力を必要とするあらゆる装置に電力を供給するフレキシブル・バッテリと、
固定機構６２の部分６０を受け入れるための管状の細長い構造体であって、固定機構６２の両端及び管状の細長い構造体の対応する内面は、コンタクトが接続されるときに回路を形成すべく導電性コンタクトとを有し、固定機構６２が固定されたか、取り外されたかどうかを決定することができるものである管状の細長い構造体と
を備えた識別器具１０と、
　情報が伝達される読取り装置とからなるシステム」（以下、「引用発明」という。）
　ウ　原査定において引用文献２として引用され、本件出願の優先権主張日前に電気通信回線を通じて公衆に利用可能とされた国際公開２００８／９９２９０号（対応日本語出願については特表２０１０−５１９６１６号公報を参照）には、つぎの事項が記載されている。（下線は、当審により付加したもの。）
　（ア）「The present application contemplates the use of fully unobtrusive and flexible monitoring of all patients, from non-mobile to mobile patients, and even high acuity patients, such as intensive care unit (ICU) patients. The application also contemplates use in a non-clinical setting, a preclinical setting, and a research setting.  Through the use of Body Sensor Networks (BSNs) wireless sensors are used. By using the building blocks of a BSN, a foundation is laid to support the management of electronic annotations. With reference to FIGURE 1, 
a medical BSN includes a collection of wireless medical sensors 10 that transmit their measurements to a network interface device 12, 14, 16, 19, such as bedside patient monitor 12 in the vicinity (within, e.g., about 5 meters of the patient), typically associated to a patient display 12a. The sensors 10 can be nodes of a body network that communicate with each other and the monitor 12 by a short range, low power wireless communication technology such as Bluetooth or ZigBee. Alternately, low power body coupled communication is contemplated for communication between the nodes of the body network, the transmissions to the bedside monitor 12 being performed by a specified node with a larger battery.
（当審仮訳　「本願は、移動していない患者から移動している患者まで、及び集中ケアユニット（ＩＣＵ）患者のような重篤ケア（high acuity）患者までも含むすべての患者の、全く目立たない順応性のあるモニタリングの使用を企図する。本願は更に、非臨床的場面、前臨床医学場面及びリサーチ場面における使用を企図する。身体センサネットワーク（ＢＳＮ）の使用を通じて、ワイヤレスセンサが使用される。ＢＳＮの組み立てブロックを使用することによって、基礎が、電子注釈の管理を支援するために置かれる。図１を参照して、医用ＢＳＮは、例えば、
患者ディスプレイ１２ａと一般に関連付けられる近傍（例えば患者の約５メートル以内に）のベッドサイド患者モニタ１２のようなネットワークインタフェース装置１２、１４、１６、１９にそれらの測定値を送信するワイヤレス医用センサ１０の集まりを含む。センサ１０は、例えばブルートゥース又はジグビーのような短距離低電力ワイヤレス通信技術によって、互いに及びモニタ１２と通信する身体ネットワークのノードでありうる。代替として、低電力の身体結合通信が、身体ネットワークのノード間の通信のために企図され、ベッドサイドモニタ１２への送信は、より大きいバッテリを有する指定されたノードによって実施される。
　（イ）「The sensor 10 also includes a wireless receiver 30, e.g. a Bluetooth or a ZigBee receiver to receive communications from other sensors 10 or nodes or from the bedside monitor 12. The sensors 10 can communicate with each other, other nodes, the bedside monitor 12, nurses' station 14, other receivers on the hospital network 19 and other electronic devices 16. 
Alternately, the sensors communicate with each other and a node by a body coupled communications protocol. 
（当審仮訳「センサ１０は、更に、例えば他のセンサ１０又はノードから又はベッドサイドモニタ１２からの通信を受信するブルートゥース又はジグビー受信器のようなワイヤレス受信器３０を有する。センサ１０は、互いに及び他のノード、ベッドサイドモニタ１２、ナースステーション１４、病院ネットワーク１９上の他の受信器、他の電子装置１６と通信することができる。代替として、
センサは、身体結合通信プロトコルによって、互いに及びノードと通信する。リストバンドのようなノードが、上述したような身体結合通信送信器及び受信器、ベッドサイドモニタ１２と関連付けられた基地局と通信するワイヤレスの例えばブルートゥース又はジグビー送信器および受信器、他の病院ネットワーク送信器及び受信器１９、又は医療専門家の通信装置１６を保持する
　エ　引用文献２に記載された技術
　上記ウの記載によれば、引用文献２には「患者ディスプレイ１２ａと一般に関連付けられる近傍（例えば患者の約５メートル以内に）のベッドサイド患者モニタ１２のようなネットワークインタフェース装置１２、１４、１６、１９にそれらの測定値を送信するワイヤレス医用センサ１０の互いに及びモニタ１２との通信を、短距離低電力ワイヤレス通信技術に代えて、低電力の身体結合通信により行う」技術が記載されているものと認められる。
　（３）対比
　ア　本件補正発明と引用発明とを対比する。
　（ア）引用発明の「リストバンドである識別器具１０」は、上記（１）ア（ア）の「識別バンドに対する一つの重要な使用は、病院、診療所及びその他の場所における患者識別及び位置である」との記載から、患者の識別と患者の位置把握のために用いられるものであることは明らかであるから、ビーコンに該当するものといえること、そして、引用発明の「システム」が「識別器具１０」と「情報を伝達される読み取り装置」とから構成されるものであることからすれば、引用発明の「システム」は、本件補正発明の「ビーコンシステム」に相当するものといえる。
　（イ）引用発明である「識別器具１０」が上記（ア）のとおり、病院の患者識別及び位置把握のために用いられるものであり、そのような用途に用いる場合には、その装着者は患者であると解されること、そして、当該「識別器具１０」が含む「細長いフレキシブル・リストバンド素材である構造体２０」は、その患者の手首に装着される柔軟な材料であることから、引用発明の「識別器具１０」は、本件補正発明の「患者の四肢に取り付けられる柔軟な材料のストラップ」に相当する。
　（ウ）引用発明の「識別器具１０」が「関連づけられた着用者に関する手書きまたは印刷された視覚情報を包含すべく有するラベルまたは印刷可能面」は、本件補正発明の「ストラップに取り付けられる印刷可能層」に相当する。
　（エ）引用発明の「構造体２０上に形成された」「フレキシブル・バッテリ」は、本件補正発明の「ストラップに取り付けられる柔軟な電源」に相当する。
　（オ）引用発明の、「ＲＦＩＤ回路、電子回路、データ記憶装置を更に含みうる、通信回路３２のような電力を必要とするあらゆる装置に電力を供給するフレキシブルバッテリ」が、「電子通信回路」に接続されていることは明らかである。
　また、「ＲＦＩＤ回路」に、識別のための識別情報が記憶されること、そして、引用発明の「電子通信回路」により「識別装置」から、少なくとも当該識別情報を含む情報が「読み取り装置」に対して通信により送信されることは明らかである。
　してみると、引用発明の「マイクロプロセッサとメモリを更に有する」「ＲＦＩＤ回路のような電子通信回路３２であって、アンテナ回路と、信号発生器回路と、プログラマバル・エンコーダ回路と、相互接続回路とを備え、構造体２０または絶縁体層２５上に直接成長された導電性、絶縁性及び/または半導体材料で全体的に構成されている回路を用いうるとともに識別器具１０にプリントされうる半導体、導体及び絶縁体から部分的にまたは全体的に作られた電子構成要素を有するものであり、誘電体層２６及びプリント構成要素は、フレキシブルである電子通信回路」と、本件補正発明の「前記ストラップ及び前記電源に取り付けられる柔軟な回路であって、少なくともビーコン識別情報を無線で送信する無線送信ユニットと、少なくとも前記ビーコン識別情報と暗号化キーを記憶するメモリと、前記暗号化キーで前記ビーコン識別情報を暗号化し、前記暗号化されたビーコン識別情報を前記メモリから、前記無線送信ユニットが身体結合通信を介して通信するように制御する、プロセッサとを含む、柔軟な回路」とは、共に「前記ストラップ及び前記電源に取り付けられる柔軟な回路であって、少なくともビーコン識別情報を無線で送信する無線送信ユニットと、メモリと、前記ビーコン識別情報を前記無線送信ユニットが通信するように制御する、プロセッサとを含む、柔軟な回路」である点で共通するものといえる。
　（カ）引用発明の「情報が伝達される読取り装置」と本件補正発明の「前記患者と接触しているとき若しくは近接しているとき、身体結合通信を介して前記無線送信ユニットから前記暗号化されたビーコン識別情報を受信する送受信機」とは、「前記無線送信ユニットからビーコン識別情報を受信する送受信機」である点で共通するものといえる。
　（キ）引用発明の「固定機構６２の部分６０を受け入れるための管状の細長い構造体であって、固定機構６２の両端及び管状の細長い構造体の対応する内面は、コンタクトが接続されるときに回路を形成すべく導電性コンタクトとを有し、固定機構６２が固定されたか、取り外されたかどうかを決定することができるものである細長い構造体」が、「識別装置１０」が患者から取り外された際に、その内面の導電性コンタクトの切断により取りはずされた状態を検出するものであることは明らかであるから、引用発明は「識別装置１０」が「細長い構造体」を備えることにより、患者である「装着者」から「識別装置１０」が取り外されたことを検出する作用を奏することができるものである。
　したがって、本件補正発明の「前記患者からの前記ストラップの取り外しが、前記ストラップがもはや関連付けられていない可能性を警告するため、前記ストラップが取り外されたことを前記プロセッサに信号で伝えさせる」ことと、引用発明の「システム」が患者である「装着者」から「識別装置１０」が取り外されたことを検出する作用を奏することとは、共に「患者からストラップが取り外されたことを伝える」ことができるものである点で共通するものといえる。
　
　イ　一致点及び相違点
　上記アの対比を踏まえると、本件補正発明と引用発明とは、つぎの一致点において一致し、つぎの各相違点で相違する。
＜一致点＞
「ビーコンシステムであって、
　患者の四肢に取り付けられる柔軟な材料のストラップと、
　前記ストラップに取り付けられる印刷可能層と、
　前記ストラップに取り付けられる柔軟な電源と、
　前記ストラップ及び前記電源に取り付けられる柔軟な回路であって、
　　少なくともビーコン識別情報を無線で送信する無線送信ユニットと、
　　メモリと、
　前記ビーコン識別情報を前記無線送信ユニットが通信するように制御する、プロセッサとを含む、柔軟な回路と、
　前記無線送信ユニットからビーコン識別情報を受信する送受信機とを有し、
　患者からストラップが取り外されたことを伝える
　ビーコンシステム。
＜相違点１＞
  本件補正発明の「柔軟な回路」が含む「メモリ」に関して、本件補正発明が「メモリ」が「ビーコン識別情報と暗号化キーを記憶する」ものであって、「暗号化されたビーコン識別情報」を「メモリから通信するよう」制御されるものであるのに対して、引用発明の「メモリ」がそのように特定されない点
＜相違点２＞
　本件補正発明が「暗号化キーで」「ビーコン識別情報を暗号化し」、「暗号化されたビーコン識別情報」を送信し、「送受信機」が「暗号化されたビーコン識別情報を受信する」ものであるのに対して、引用発明は、「識別情報」を送信し、「読取り装置」が「識別情報」を伝達されるものである点
＜相違点３＞
　本件補正発明の「無線送信ユニット」が「身体結合通信を介して通信するよう」プロセッサにより制御され、「送受信機」が「患者と接触しているとき若しくは近接しているとき」に「身体結合ユニットから」「受信する」のに対して、引用発明はそのように特定されない点
＜相違点４＞
　患者からストラップが取り外されたことを伝えることに関して、本件補正発明が「前記患者からの前記ストラップの取り外しが、前記ストラップがもはや関連付けられていない可能性を警告するため、前記ストラップが取り外されたことを前記プロセッサに信号で伝えさせる」のに対して、引用発明は「固定機構６２の部分６０を受け入れるための管状の細長い構造体であって、固定機構６２の両端及び管状の細長い構造体の対応する内面は、コンタクトが接続されるときに回路を形成すべく導電性コンタクトとを有し、固定機構６２が固定されたか、取り外されたかどうかを決定することができるものである」点
  （４）相違点についての検討
　ア　相違点１について
　引用文献１には、引用発明が備える「メモリ」にどのような情報が記憶されるのかについては特に明記がされていない。
　しかしながら、ＲＦＩＤタグなどでそれが備えるメモリに「識別情報」を記憶するようにすることは慣用的手法にすぎないし、メモリに記憶する情報をどのようなものとするかは当業者が設計時において定める設計的事項にすぎないから、引用発明において、メモリに識別装置の識別情報を記憶するようにすることは、適宜なし得る程度のことにすぎない。
　なお、下記イにおいて例示するように、送信する情報を暗号化する暗号化キーや暗号化後の情報をメモリに記憶し、当該暗号化後の情報を送信するようすることは周知のことであることからすれば、識別情報を暗号化キーにより暗号化し送信する過程において、暗号化キーや暗号化後の識別情報をメモリに記憶するようにすることも同様に当業者が必要に応じて適宜なし得る程度のことにすぎない。
　してみると、引用発明において、相違点１に係る本件補正発明の構成のようにすることは当業者が容易に想到し得るものである。
　イ　相違点２について
　例えば、本件出願の優先権主張日前に頒布された刊行物である特開２００６−５３８００号公報に「通信部１１と暗号化部１２とＩＤ記憶部１３とを備えるＲＦＩＤタグ１０」で、ＩＤ記憶部１３にＲＦＩＤを記憶し、暗号化部１２が記憶している「ＩＤＲＳ鍵」を用いてＲＦＩＤを暗号化する」「情報提供システム」について記載され（段落【００１８】〜【００２５】の記載参照）、また、本件出願の優先権主張日前に頒布された刊行物である特開２００７−３１０７７９号公報に「患者１に取り付けられる無線タグ装置３２０」の「メモリ３２１」に「患者ＩＤ情報」を秘匿化する「鍵ＩＤ情報３２１ａａ」と「秘匿化患者ＩＤ情報３２１ｂａ」を格納した「情報管理システム」について記載され（段落【００６５】ないし【００６９】の記載参照）、さらに、特開２００７−３２９８８４号公報にも「ＩＣカード」の「ＩＤ記憶部２０４」に記憶されている「カードＩＤ」を読み出し、「暗号演算部２０８」により読み出された「カードＩＤ」を記憶されている「乱数Ａ」を鍵として用いて「暗号化」し、送信するようにした情報処理システムが記載されている（段落【０１１０】ないし【０１１７】）ように、患者ＩＤやＩＤ情報を暗号化して送信すること、その際に、ＩＤ情報や暗号化鍵、暗号化後の情報などをメモリに記憶することは、本件出願の優先権主張日前において、従来周知の技術であるといえる。
　そして、引用発明が、患者に装着されて病院における患者識別に用いられるものであることからすれば、引用発明においても「識別情報」を送信することによる患者プライバシーの漏洩の危険を防止することが必要であることは明らかであるから、引用発明において周知技術を適用して「識別情報」を暗号化して送信するようにすることには、動機付けがあるといえる。
　してみると、上記相違点２は、引用発明に周知技術を適用して当業者が容易になし得るものといえる。
　
  ウ　相違点３について
　上記（１）エで説示したように引用文献２には、短距離低電力ワイヤレス通信技術に代えて低電力の身体結合通信を用いて、センサノード相互のデータ送信を行う技術が記載されているところ、引用発明においても、消費電力の低減などの課題は一般的に内在するものといえるから、低電力の身体結合通信を用いることに動機付けがあるといえる。
　そして、身体結合通信は、通信する機器が患者の身体を介して通信を可能とするものであって通信する機器が患者の身体に近接又は接触する必要があるものである。
　してみると、引用発明に引用文献２に記載の技術を適用して、引用発明の識別装置の識別情報の送信を、身体結合通信を介して行うようにし、「読取り装置」が患者と接触又は近接しているときに識別情報を身体結合通信を介して伝達されるようにすることで、引用発明を本件補正発明の相違点３に係る構成のようにすることは、当業者が容易に想到し得ることである。
　エ　相違点４について
　（ア）相違点４についての想到容易性について
　ａ　相違点４に係る本件補正発明の特定事項により特定される内容は、「ストラップがもはや」患者に「関連付けられていない可能性を警告する」ことを目的に「患者から」「ストラップが取り外されたことを」「プロセッサに信号で伝えさせる」ことと解される。
　ｂ　引用発明は、「固定機構６２の部分６０を受け入れるための管状の細長い構造体であって、固定機構６２の両端及び管状の細長い構造体の対応する内面は、コンタクトが接続されるときに回路を形成すべく導電性コンタクトとを有し、固定機構６２が固定されたか、取り外されたかどうかを決定することができる」ものであって、当該導電性コンタクトの接続が切断されたとき、固定機構６２が取り外されたと決定するものであるところ、引用発明の「電子通信回路」が「プロセッサ」を有していることからすれば、その決定をプロセッサが行うものと解するのが自然である。そうすると、引用発明は、プロセッサにより当該決定を行うために、その回路の接続・切断をプロセッサに信号で伝えるように構成されるものであると理解できるし、仮にそうでないとしても、そのように構成することは当業者が当然なし得る程度の事項にすぎないというべきである。
　ｃ　引用発明が病院における患者の識別と位置把握をその用途としていることからすれば、患者から固定機構が取り外された状態を決定することは、患者から識別装置が取り外された可能性を警告するものともいえるし、そうでないとしてもその状態を警告するように構成することは、当業者であれば当然なし得る程度のことであるから、患者から識別装置が取り外された可能性がある状態、すなわち、「もはや（患者に）関連づけられていない可能性」を警告するようにすることも当業者が適宜なし得る程度のことというべきである。
　ｄ　以上のことからすれば、相違点４は、当業者が必要に応じて適宜なし得る程度のことにすぎない。
　（イ）請求人の主張について
　ａ　請求人は、引用文献１の段落【００３３】の記載は、「識別器具（図８の例では識別バンド）自身の問題であって、識別器具が患者から脱着されることとは関係なく、本件補正発明に係る「患者からの前記ストラップの取り外しとは関係がない」こと、すなわち、「着用者が濡れていた又は痩せた等の何らかの理由で識別器具１０が手具備等から外れ床に落ちたが、固定機構６２の両端６０、６４は構造体２０に結合したままであるようなとき、引用文献１の技術では、本件補正発明のように「前記ストラップがもはや関連づけられていない可能性を警告する」ことができない点で本件補正発明とは異なる旨主張する。
　ｂ　しかしながら、本件補正発明においては、「患者からの」「ストラップの取り外し」が「ストラップがもはや関連付けられていない可能性を警告する」ことであり、その警告をするために、「ビーコンが取り外されたことをプロセッサに信号で伝えさせる」ことが特定されているのみである。
　さらに、本件補正発明においても「ストラップがもはや関連付けられていない」「
可能性
　ｃ　また、本件補正発明の「ストラップがもはや患者に関連付けられていない可能性を警告する」ことに関する本願明細書の発明の詳細な説明の段落【００１６】には「【００１６】 ビーコンブレスレット装置１０はストラップ１６を含み、これは一実施形態では、プラスチック、マイラー（登録商標）、表面加工紙、静菌性材料などの、軽量で柔軟な材料である。一実施形態において、ストラップ１６は透明プラスチックチューブの形であり、この中に比較的平らな構造が端から挿入されることができる。
ブレスレットは固定構造を含み、これはブレスレット装置が患者の四肢の周りにぴったり合うことを可能にする。いくつかの実施形態において、固定構造はビーコンブレスレット装置が少なくとも部分的な破壊なしに取り外されるのを防ぐ
一態様によれば、患者からのビーコンの取り外しは、ビーコンがもはや関連付けられていない可能性を受信データシステムに警告するために、ビーコンが取り外されたことをビーコンに信号で伝えさせる。
　ｄ　したがって、請求人の主張は、特許請求の範囲の記載に基づくものとはいえない。
　（４）独立特許要件の検討に関する小括
　以上検討したように、本件補正発明は、引用発明に引用文献２に記載の技術及び周知技術を適用して当業者が容易に発明をすることができたものであって、特許法第２９条第２項の規定により特許を受けることができないものである。
　したがって、本件補正発明は、特許出願の際、独立して特許を受けることができないものであるから、本件補正は、特許法第１７条の２第６項において読み替えて準用する同法第１２６条第７項の規定に違反する。
　
　３　補正の却下の決定のむすび  
　以上のとおり、本件補正は、上記１（２）において検討したように、本件補正事項の目的が特許法第１７条の２第５項各号に規定するいずれにも該当しないことから、同項の規定に違反してされたものであり、また、仮に本件補正事項の目的が同項第２号に該当するとしても、本件補正発明が同条第６項において準用する同法第１２６条第７項の規定に違反するものであるから、本件補正は、同法第１５９条第１項で読み替えて準用する第５３条第１項の規定により却下されるべきものである。  
　よって、上記補正の却下の決定の結論のとおり決定する。
第３　本願発明について  
　１　本願発明  
 　本件補正は、上記第２のとおり却下されたので、本願の請求項１ないし８に係る発明は、平成２７年７月３日にされた手続補正による補正後の特許請求の範囲の請求項１ないし８に記載された事項により特定されるものであって、そのうち請求項１に係る発明は、上記第２の１（１）アにおいて説示したとおりのものである。（以下、請求項１に係る発明を「本願発明」という。） 　  
 
　２　引用例及びその記載事項  
　原査定で引用された引用文献１及び引用文献２に記載の事項並びに引用発明及び引用文献２に記載の技術は、それぞれ、上記第２の２（２）において説示し、認定したとおりである。
　３　本願発明と引用発明との対比・判断  
　上記第２の２で検討した本件補正発明は、本願発明に「前記患者からの前記ストラップの取り外しが、前記ストラップがもはや関連付けられていない可能性を警告するため、前記ストラップが取り外されたことを前記プロセッサに信号で伝えさせる」ものであることをさらに追加して特定するものである。
　そうすると、本願発明と引用発明１とは、上記第２の２（３）イにおいて認定した相違点１ないし３において相違し、その余の点において一致するものといえる。
　そして、上記相違点１ないし３については、同（４）のアないしウでそれぞれ検討したとおりである。
　以上のことからすれば、本願発明は、引用発明及び引用文献２に記載の技術並びに周知技術に基づいて当業者が容易に発明をすることができたものである。
　４　むすび  
　上記で検討したとおり、本願発明は、本件出願の優先権主張日前に頒布された刊行物である引用文献１に記載された発明（引用発明）及び同優先権主張日前に電気通信回線を通じて公衆に利用可能とされた引用文献２に記載の技術並びに周知技術に基づいて当業者が容易に発明をすることができたものであるから、特許法第２９条第２項の規定により特許を受けることができない。
　したがって、他の請求項について論及するまでもなく、本願は拒絶すべきものである。　よって、上記結論のとおり審決する。